(57)【要約】【課題】乳幼児の身体状態を示す情報を取得するように構成された１つまたは複数のセンサを備える車両用システムおよび方法を提供する。【解決手段】無線トランシーバが含まれ、モバイルデバイスと通信する。トランシーバは、モバイルデバイスを、乳幼児を監視するように構成されたカメラと接続するように構成される。コントローラは、１つ以上のセンサおよび無線トランシーバと通信する。コントローラは、１つ以上のセンサから取得された情報を利用して、乳幼児の身体状態を判定するように構成される。コントローラはまた、乳幼児の身体状態に応じて１つ以上の車両システムを作動させ、車両ディスプレイまたはモバイルデバイスに乳幼児の身体状態を示すユーザへの通知を出力するように構成される。【選択図】図１
2020142080.tif 000002
【特許請求の範囲】
【請求項１】
乳幼児の身体状態を示す情報を取得するように動作可能な１つ以上のセンサと、
１つ以上のセンサと通信するコントローラと、を備え、
前記コントローラは、
１つ以上のセンサから取得した情報を利用して、乳幼児の身体状態を判定し、
乳幼児の身体状態に応じて１つ以上の車両システムを作動させ、そして、
乳幼児の身体状態を示すユーザへの通知をディスプレイに出力する、車両における乳幼児快適性監視システム。
【請求項２】
前記１つ以上のセンサは、乳幼児および車両の室内から熱測定値を取得するように動作可能であり、前記コントローラは、乳幼児の第１温度と車両の室内の第２温度との偏差に基づいて、乳幼児が苦痛を感じているかどうかを判定するようにさらに動作可能である請求項１に記載の乳幼児快適性監視システム。
【請求項３】
前記コントローラは、乳幼児が苦痛を感じていると判定されたとき、ユーザが１つ以上の車両システムを調整できるようにさらに動作可能である請求項２に記載の乳幼児快適性監視システム。
【請求項４】
前記コントローラは、前記ディスプレイを使用して、ユーザが乳幼児と関わり合うことを可能にするように動作可能である、請求項３に記載の乳幼児快適性監視システム。
【請求項５】
前記１つ以上のセンサは、車両の室内の熱測定値を取得するように動作可能であり、前記コントローラは、車両の室内の温度が１つ以上の事前定義された温度設定外であるかどうかを判定するようにさらに動作可能である請求項１に記載の乳幼児快適性監視システム。
【請求項６】
前記１つ以上の車両システムはＨＶＡＣシステムを含み、前記コントローラは、前記車両の室内の温度が１つ以上の事前定義された温度設定外である場合に、前記ＨＶＡＣシステムを調整するようにさらに動作可能である請求項５に記載の乳幼児快適性監視システム。
【請求項７】
前記コントローラは、前記１つ以上のセンサから取得した情報を使用して、乳幼児が眠りに着きそうであるかどうかを判定するようにさらに動作可能である請求項１に記載の乳幼児快適性監視システム。
【請求項８】
前記コントローラは、乳幼児が眠りに着きそうであり、現在の時間が乳幼児の昼寝時間設定内であるとき、前記１つ以上の車両システムを作動させるように動作可能である請求項７に記載の乳幼児快適性監視システム。
【請求項９】
前記コントローラは、乳幼児が眠りに着きそうであり、現在の時間が乳幼児の昼寝時間設定内であるとき、車室を暗くするために、１つ以上の車両ウィンドウの色合いを変更するように前記１つ以上の車両システムを作動させるように動作可能である請求項８に記載の乳幼児快適性監視システム。
【請求項１０】
前記コントローラは、乳幼児が眠りに着きそうであり、現在の時間が乳幼児の昼寝時間設定外であるとき、前記１つ以上の車両システムを作動させるように動作可能である請求項７に記載の乳幼児快適性監視システム。
【請求項１１】
前記コントローラは、乳幼児が眠りに着くことを妨げるために、前記ディスプレイを作動させて、ユーザが乳幼児と交流できるように動作可能である請求項１０に記載の乳幼児快適性監視システム。
【請求項１２】
前記コントローラは、モバイルデバイスと接続して、乳幼児の身体状態をユーザに通知するように動作可能である、請求項１に記載の乳幼児快適性監視システム。
【請求項１３】
１つ以上のセンサから乳幼児の身体状態を示す情報を取得すること、
前記１つ以上のセンサから取得した情報を利用して、乳幼児の身体状態を判定すること、
乳幼児の身体状態に応じて１つ以上の車両システムを作動させること、および、
乳幼児の身体状態を示す通知を車両ディスプレイに出力すること、を備える乳幼児快適性監視方法。
【請求項１４】
乳幼児および車両の室内から熱測定値を取得すること、および
乳幼児の第１温度と車両の室内の第２温度との偏差に基づいて、乳幼児が苦痛を感じているかどうかを判定すること、をさらに備える請求項１３に記載の乳幼児快適性監視方法。
【請求項１５】
乳幼児が苦痛を感じていると判定されたとき、１つ以上の車両システムを調整することをさらに備える請求項１４に記載の乳幼児快適性監視方法。
【請求項１６】
車両の室内の熱測定値を取得すること、および
車両の室内の温度が１つ以上の事前定義された温度設定外であるかどうかを判定すること、をさらに備える請求項１３に記載の乳幼児快適性監視方法。
【請求項１７】
前記１つ以上のセンサから取得した情報を使用して、乳幼児が眠りに着きそうであるかどうかを判定することをさらに備える請求項１３に記載の乳幼児快適性監視方法。
【請求項１８】
乳幼児が眠りに着きそうであり、現在の時間が乳幼児の昼寝時間設定内であるとき、前記１つ以上の車両システムを作動させることをさらに備える請求項１７に記載の乳幼児快適性監視方法。
【請求項１９】
乳幼児が眠りに着きそうであり、現在の時間が乳幼児の昼寝時間設定外であるとき、前記１つ以上の車両システムを作動させることをさらに備える請求項１７に記載の乳幼児快適性監視方法。
【請求項２０】
乳幼児の身体状態を示す情報を取得するように動作可能な１つ以上のセンサと、
モバイルデバイスと通信する無線トランシーバと、
前記無線トランシーバは、前記モバイルデバイスが、乳幼児を監視するように動作可能なカメラと通信できるようにし、
前記１つ以上のセンサと前記無線トランシーバと通信するコントローラと、を備え、
前記コントローラは、
前記１つ以上のセンサから取得した情報を利用して、乳幼児の身体状態を判定し、
乳幼児の身体状態に応じて１つ以上の車両システムを作動させ、そして、
乳幼児の身体状態を示す通知を車両ディスプレイまたは前記モバイルデバイスに出力する、車両における乳幼児快適性監視システム。
【発明の詳細な説明】
【技術分野】
【０００１】
本開示は、乳幼児の身体状態を監視し、乳幼児の現在の身体状態に応じて車両環境を調整するためのシステムおよび方法に関する。
【背景技術】
【０００２】
現在の小児学の推奨事項および政府の規制では、車両の走行中、乳児および幼児をベビーシート内にしっかり固定することが推奨される。
【発明の概要】
【発明が解決しようとする課題】
【０００３】
新生児または非常に幼い乳児の場合、ベビーシートが後ろ向きに配置されることがあり、それは、運転手や他の同乗者が乳児の現在の身体状態を観察するのを困難にさせる。正面を向いている年長の乳児や幼児の場合、運転手または同乗者は乳幼児の身体状態を監視できないかもしれない。従って、車両内で過ごす時間を乳幼児と運転手または他の同乗者の両方にとってより楽しくするために、配置に関係なく、乳幼児の身体状態を積極的に監視することが望まれている。
【課題を解決するための手段】
【０００４】
一実施形態によれば、乳幼児の身体状態を示す情報を取得するように構成された１つ以上のセンサを備える車両用のシステムおよび方法が開示される。ワイヤレストランシーバが含まれ、それは、モバイルデバイスと通信していてもよい。トランシーバは、モバイルデバイスを、乳幼児を監視するように構成されたカメラと接続するように構成されてもよい。コントローラも、１つ以上のセンサおよびワイヤレストランシーバと通信していてもよい。コントローラは、１つ以上のセンサから取得された情報を利用して、乳幼児の身体状態を判定するように構成されてもよい。コントローラはまた、乳幼児の身体状態に応じて１つ以上の車両システムを作動させ、車両ディスプレイまたはモバイルデバイス上でユーザに対して乳幼児の身体状態を示す通知を出力するように構成されてもよい。
【０００５】
１つ以上のセンサはまた、乳幼児および車両の室内から熱測定値を取得するように構成されてもよい。コントローラは、さらに、乳幼児の体温と車両の室内の温度との間の偏差に基づいて、乳幼児が苦痛を感じているかどうかを判定するように構成されてもよい。システムまたは方法は、乳幼児が苦痛を感じていると判定されたときに、ユーザが１つ以上の車両システムを調整できるようにしてもよい。
【０００６】
１つ以上のセンサは、さらに、車両の室内の熱測定値を取得するように構成されてもよい。コントローラは、さらに、車両の室内の温度が１つ以上の所定の温度設定を外れているかどうかを判定するように構成されてもよい。車両の室内の温度が1つ以上の所定の温度設定を外れている場合、ＨＶＡＣシステムが調整されてもよい。
【図面の簡単な説明】
【０００７】
【図１】乳幼児の快適性監視システムの例示的なブロック図を示す。
【図２】車両のヘッドレスト内に埋め込まれた例示的な乳幼児の快適性監視システムを示す。
【図３】乳幼児の快適性監視システムの動作を示す例示的なフローチャートである。
【図４】乳幼児快適性監視システムによって監視されている乳幼児を示す。
【発明を実施するための形態】
【０００８】
本開示の実施形態が本明細書に記載される。しかしながら、開示された実施形態は単なる例であり、他の実施形態は様々な代替の形態をとることができることを理解されたい。図は必ずしも縮尺どおりではない。特定のコンポーネントの詳細を表示するために、一部の特徴が誇張または最小化され得る。したがって、本明細書で開示される特定の構造および機能の詳細は、限定するものとして解釈されるべきではなく、実施形態を様々に採用することを当業者に教示するための単なる代表的な基礎として解釈されるべきである。当業者が理解するように、図のいずれかを参照して図示および説明される様々な特徴は、明示的に図示または説明されていない実施形態を生み出すように、１つ以上の他の図に示される特徴と組み合わせることができる。図示された特徴の組み合わせは、典型的な用途のための代表的な実施形態を提供する。しかしながら、本開示の教示と矛盾しない特徴の様々な組み合わせおよび変更は、特定の用途または実行のために望ましい可能性がある。
【０００９】
図１は、乳幼児快適性監視システム１００の例示的なブロック図を示している。システム１００は、コントローラ１０１を含むことができる。コントローラ１０１は、本明細書に記載の方法およびシステムのための命令を実行するように構成されたプロセッサで具体化されてもよい。コントローラ１０１は、メモリ（図１には個別には示されていない）、および車両内での特定の処理のための他のコンポーネントを含むことができる。以下に説明するように、乳幼児の身体状態を監視するために車両全体に配置されたシステム１００が存在してもよいと考えられる。
【００１０】
コントローラ１０１は、コンピュータプロセッサ、マイクロプロセッサ、または他の任意のデバイス、一連のデバイス、または本明細書で説明する動作を実行できる他のメカニズムなど、コマンドを処理するクアッドコアプロセッサのような１つ以上の演算装置であり得る。メモリは、命令やコマンドを記憶することができる。命令は、ソフトウェア、ファームウェア、コンピュータコード、またはそれらのいくつかの組み合わせの形式であり得る。
【００１１】
メモリは、揮発性メモリ、不揮発性メモリ、電子メモリ、磁気メモリ、光学メモリ、または他の任意の形式のデータ記憶装置などの、任意の形式の１つ以上のデータ記憶装置であり得る。メモリは、システム１００に内蔵（例えば、ＤＤＲメモリ）されてもよいし、または、メモリは取り外し可能なメモリコンポーネント（例えば、マイクロＳＤカードメモリ）を含んでもよい。
【００１２】
コントローラ１０１は、車両内および車両から離れた様々なセンサ、モジュール、および車両システムと通信することができる。例えば、システム１００は、カメラ１０３、赤外線センサ１０５、呼吸センサ１０７、動き検出センサ１０９、心拍数センサ１１１、トランシーバ１１３、および音識別デバイス１１７（例えば、マイク）を含むことができる。システム１００はまた、ＨＭＩ１１５、ＧＰＳシステム１１９、ＨＶＡＣシステム１２１、オーディオシステム１２３、またはウィンドウ制御システム１２５を含む、車両内に配置された追加のモジュールまたはシステムと接続され通信してもよい。
【００１３】
図１は例示的なものであり、システム１００は、様々なタイプの多少のセンサを含むことができ、車両の内部および外部に配置される多数の異なるシステムおよびモジュールに接続されることもできる。システム１００は、車両全体に配置される他のシステムおよびモジュールと、情報、データ、またはコマンドが送受信され得るように、車両のＣＡＮ（登録商標）バスネットワーク（または同様の有線または無線車両通信ネットワーク）に接続されることができる。
【００１４】
１つ以上のＨＭＩ１１５が車室全体に含まれていてもよい。ＨＭＩ１１５は、車両内で使用されることが知られている任意のタイプのディスプレイを含むことができる。例えば、ＨＭＩ１１５は、ダッシュボードディスプレイ、ナビゲーションディスプレイ、マルチメディアディスプレイ、ヘッドアップディスプレイ、薄膜トランジスタ液晶ディスプレイ（ＴＦＴＬＣＤ）などを含むことができる。ＨＭＩ１１５はまた、コマンドまたは車両のユーザインターフェースに関連する音を出力するためにスピーカーに接続されてもよい。ＨＭＩ１１５は、車両内の乗員（例えば、運転者または同乗者）に様々なコマンドまたは情報を出力するために利用され得る。例えば、ＨＭＩ１１５は、後部シートにいる乳幼児の身体状態に関するメッセージを運転者に表示することができる。
【００１５】
ＨＭＩ１１５は、車両乗員に関連情報を表示するために利用される任意のタイプのモニタまたはディスプレイを利用してもよい。ＨＭＩ１１５はまた、画像が、運転中の運転者の周辺にあり、または乗員の視線内にあるように、フロントガラス上にインターフェースおよび他のオブジェクトを表示するために利用されるヘッドアップディスプレイ（ＨＵＤ）を含んでもよい。
【００１６】
視覚的な表示を提供することに加えて、ＨＭＩ１１５はまた、タッチスクリーン、ユーザインターフェースボタン、音声入力、ジェスチャー入力などを介してユーザ入力を受け入れるように構成されてもよい。ＨＭＩ１１５は、オーディオビジュアル操作、特定の車両機能、車室温度操作などの様々な車両操作を示すユーザコマンドを受け入れるように構成されることができる。システム１００は、そのようなユーザ入力を受け取り、構成要素の関連車両システムに、ユーザ入力に従って動作するように命令することができる。たとえば、ユーザ（運転者など）は、ＨＭＩ１１５を使用して、快適な温度設定をセットすることができる。システム１００は、快適温度設定を使用して、乳幼児の監視された身体状態に応じて、車両の後部シートの温度を自動的に調整することができる。ユーザは、ＨＭＩ１１５によって提供される追加の操作を用いて、システム１００の温度調整をさらに変更（またはオーバーライド）することもできる。
【００１７】
ＨＭＩ１１５は、後部シートの乗員、すなわち乳児または幼児が見ることができるように、１つ以上の車両のヘッドレストに埋め込まれるか、後部室内に配置されえる。ＨＭＩ１１５は、車両内にいる乳幼児に対面するように配置されえる。ヘッドレスト内に埋め込まれたＨＭＩ１１５は、車両の前部シートにいる乗員（運転手または同乗者）が、車両の後部シートにいる乳幼児と交流することを可能とすることができる。例えば、ＨＭＩ１１５は、車両の走行中に不快感を覚えているかもしれない乳幼児を落ち着かせるために、ユーザの顔を表示してもよい。または、システム１００は、特定のシナリオの間、乳幼児にショーまたはビデオを自動的に再生するようにＨＭＩ１１５を使用するべくプログラムされてもよい。システム１００は、乳幼児が苦痛を感じている、興奮している、眠気を感じているとおぼしきときに学習するようにプログラムされえる。乳幼児の快適な状態を学習すると、システム１００は、騒がしい乳幼児を落ち着かせたり、乳幼児をなだめて眠らせたりするための心休まるビデオを再生するように、ＨＭＩ１１５を自動的に作動させることができる。同様に、システム１００は、プログラムされた設定が、現在の時刻は乳幼児の昼寝の予定時間内ではないことを示すが、乳幼児が眠気を感じているとおぼしきときに学習するようにプログラムされてもよい。システム１００は、乳幼児が眠りにつくことを妨げることを助けるため、魅力的または活動的なビデオを再生するようにＨＭＩ１１５を自動的に作動させるように、学習した乳幼児の快適状態および事前にプログラムされた快適設定を使用してもよい。
【００１８】
システム１００は、１つ以上のモバイルデバイス（例えば、携帯電話、スマートフォン、ＰＤＡ、タブレット、または無線リモートネットワーク接続を有する任意の他のデバイス）と接続され、通信するように動作可能なトランシーバ１１３も含み得る。トランシーバ１１３は、モバイルデバイスと通信するように動作可能なブルートゥース（登録商標）トランシーバ、ＷｉＦｉトランシーバ、またはセルラートランシーバを含むことができると考えられる。一旦接続されると、システム１００は、車両内にいる乳幼児の身体状態に関する情報をモバイルデバイスに自動的に送信することができる。例えば、システム１００は、自宅にいる親に送信することができ、乳幼児の温度が所定の温度設定を超えたとの通知をスマートフォンで受信することができる。そのとき、携帯電話を使用してシステム１００と通信し、温度を下げるために、車両のＨＶＡＣシステム１２１を調整することができる。システム１００は、モバイルデバイスから受信した情報を使用して、車室内の温度設定（または他の任意の設定）を自動的に調整することができる。ユーザはモバイルデバイスを使用して、（１）他の車両システムまたはモジュールをリモートで動作させる、（２）車両システムまたはモジュールを自動的に調整するためにシステム１００によって使用される他の事前定義された快適性設定を調整する、または（３）ＨＭＩ１１５を使用して乳幼児と交流することができると考えられる。
【００１９】
図２を参照すると、ヘッドレストアセンブリ２００が示されている。システム１００は、車両シートのヘッドレスト部分２０１内に含まれることが考えられる。ヘッドレストアセンブリ２００は、車両の前列シートまたは後列シート内で使用されてもよい。ヘッドレストアセンブリ２００は、乳幼児が車両内にどのように配置または着座するかに適応するため、システム１００が（矢印で示されるように）調節可能であるように設計されることができる。たとえば、年少の乳幼児は後ろ向きのベビーシートに座っている場合がある。後列シートのヘッドレスト内に含まれるシステム１００が、後向きの乳幼児に適応して監視するように調整されることができる。あるいは、年長の乳幼児は前向きのカーシートに座ることもある。前列シートのヘッドレスト内に配置されたシステム１００が、前向きの乳幼児に適応して監視するように調整されることができる。システム１００はヘッドレストアセンブリ２００内に描かれているが、システム１００は、乳幼児の身体状態に適応して監視するために車室内のいずれの場所にも配置できるとも考えられる。
【００２０】
図３を参照すると、フローチャート３００は、乳幼児快適性監視システム１００が、監視するようにどのように動作可能であるか、乳幼児の身体状態に応じて、１つ以上のモジュールまたは車両システムを動作させるかを示している。ステップ３０１で、システム１００は、カメラ１０３またはセンサ１０５〜１１１からデータを受信して、乳幼児が車両内にいるかどうかを監視することができる。ステップ３０２で、コントローラ１０１は、受信したデータを使用して、車両内に乳幼児がいるかどうかを判定する。コントローラ１０１が、乳幼児は車両にいないと判定した場合、フローチャート３００はステップ３０１に戻る。
【００２１】
コントローラ１０１が、乳幼児が存在すると判定した場合、フローチャート３００はステップ３０３に進む。ステップ３０３で、コントローラ１０１は、カメラ１０３およびセンサ１０５〜１１１からデータを受信し続けて、乳幼児の体温、心拍数、呼吸数、乳幼児の活動、乳幼児の目の動き、乳幼児の周囲のエリアの温度などを監視することができる。また、システム１００は、乳幼児の追加の身体項目または車室の他のパラメータを監視し得ると考えられる。
【００２２】
システム１００は、乳幼児の身体状態を学習するように動作し得ると考えられる。例えば、システム１００は、学習段階を経るようにプログラムされたディープニューラルネットワークまたは畳み込みニューラルネットワークを含むことができる。その後、システム１００は、特定の身体状態を認識することができる場合がある。例えば、システム１００は、乳幼児の体温、呼吸、および心拍数が、乳幼児が発熱を伴う病気であることを示すときを検出することができる場合がある。または、システム１００は、乳幼児の眼球運動、呼吸、および心拍数が、乳幼児が眠気を催し、今にも眠りに落ちそうであることを示すときを検出することができる場合がある。以下に説明するように、システム１００は、監視された乳幼児の身体状態に応じて、１つ以上のモジュールまたは車両システムを自動的に作動させることができる。システム１００は、事前にプログラムされた快適設定を使用して、１つ以上のモジュールまたは車両システムを自動的に作動させることができる。システム１００はまた、ＨＭＩ１１５を使用して、またはモバイルデバイスに接続されたトランシーバ１１３を使用して、監視された乳幼児の身体状態を自動的にユーザに通知することができる。
【００２３】
ステップ３０４で、コントローラ１０１は、カメラ１０３およびセンサ１０５〜１１１から受信したデータを使用して、乳幼児の身体状態が事前定義された快適範囲（すなわち、設定または閾値）内にあるかどうかを判定する。事前定義される快適範囲は、ユーザによって事前に制定されえると考えられる。例えば、ＨＭＩ１１５を使用して、ユーザによって調整が可能である１つ以上の快適範囲設定を表示することができる。または、トランシーバ１１３に接続されたユーザは、モバイルデバイスを使用して快適範囲設定を調整してもよい。以下で説明するように、システム１００は、乳幼児の監視された温度範囲、乳幼児の睡眠または昼寝のスケジュール、または低心拍数および高心拍数の設定に基づいて、１つ以上のモジュールまたは車両システムを自動的に調整することができる。コントローラ１０１が、１つ以上の快適範囲設定が満たされており、超えていないと判定した場合、フローチャート３００はステップ３０３に戻る。
【００２４】
コントローラ１０１が、１つ以上の快適範囲設定が満たされていない、または超えていると判定した場合、フローチャート３００はステップ３０５に進み、システム１００はデータを処理し、乳幼児の現在の身体状態に基づいていずれのアクションを取る必要があるかを判定する。例えば、コントローラ１０１はステップ３０７に進み、カメラ１０３およびセンサ１０５〜１１１から受信したデータを使用して、乳幼児のバイタル値が、乳幼児が病気または苦痛の兆候を表していることを示しているかどうかを判定することができる。
【００２５】
図４は、乳幼児が病気であるかもしれないとシステム１００がどのように決定することができるかについての１つの例示的な方法を示している。重ねて、システム１００は、学習プロセスを経て、乳幼児の身体状態を検出し、乳幼児が病気である、または苦痛を感じているときを学習することができる。図４に示す例では、システム１００は、乳幼児の体温、乳幼児の顔の身体的特徴（例えば、目の動き）、および乳幼児の周囲のエリア温度を監視する赤外線センサ１０５および／またはカメラ１０３を使用して、乳幼児が病気であるか判定することができる。図示されるように、システム１００は、車両の周囲と比較して乳幼児の体温が著しく上昇していることに基づいて、乳幼児が発熱の症状を示している可能性があることを自動的に判定することができる。図４は、システム１００が、乳幼児の額の温度および乳幼児に隣接するエリアが華氏８０度を超え、一方、ベビーカーシートの部分が華氏７０度未満であると判定することができることを示している。これらの温度間の偏差に基づいて、システム１００は、子供が病気であるか苦痛を感じていると判定することができる。
【００２６】
システム１００は、呼吸センサ１０７、心拍数センサ１１１、および音識別デバイス１１７から受信したデータを含む他のデータを使用して、乳幼児が病気であるか苦痛を感じているかをさらに判定することができる。心拍数センサ１１１から受信したデータは、赤ちゃんの心拍数が事前定義された快適設定の範囲外であることを示すことがある。また、呼吸センサ１０７から受信したデータは、乳幼児の呼吸が、苦しんでいる状態にあること、または事前定義された快適範囲設定を外れていることを示すことがある。システム１００は、音識別デバイス１１７によって受信されたデータも使用して、乳幼児が泣いているときを検出するようにプログラムされてもよい。システム１００は、音識別デバイス１１７を使用して、音が、乳幼児の泣き声、乳幼児の喃語、咳、または他の背景音に相当するかどうかを区別するようにプログラムされることができる。乳幼児の泣き声のレベルまたは長さ、もしくは乳幼児の咳の重症度に基づいて、システム１００は、乳幼児が病気であるか苦痛を感じているかを判定することができる。
【００２７】
コントローラ１０１が、乳幼児は病気であるかまたは苦痛を感じていると判定した場合、フローチャート３００は、ステップ３０８に進み、システム１００は自動的にユーザ（例えば、車両の乗員または親）に通知する。システム１００は、ＨＭＩ１１５を使用して、乳幼児が病気であるかまたは苦痛を感じていることをユーザに通知することができる。または、システム１００は、トランシーバ１１３を使用して、乳幼児が病気であるかまたは苦痛を感じていることをモバイルデバイスのユーザに伝えることができる。警告に基づいて、ユーザは、病気の、または苦しんでいる乳幼児を楽にするために、車両システムを作動させることができる。もしくは、ユーザは、病気の、または苦しんでいる乳幼児を楽にするために、車を止めるなどの追加のアクションを実行してもよい。システム１００はまた、乳幼児が病気または苦痛を感じている判定されたときにモジュールまたは車両システムを自動的に作動させるようにプログラムされてもよい。システム１００はまた、乳幼児が苦痛を感じていると判定された場合、および、車両システムが車両衝突が発生したことを示す場合、トランシーバ１１３を使用して緊急サービスまたは警察に連絡するようにプログラムすることもできる。システム１００が、乳幼児が病気でもないし、苦痛も感じていないと判定した場合、フローチャート３００はステップ３０３に戻る。
【００２８】
ステップ３０９を参照すると、コントローラ１０１は、感知されたデータを使用して、車室温度が事前定義された快適ゾーン設定を超えたか、下回ったかを判定することができる。たとえば、事前定義される快適ゾーン設定は、華氏６５度の下限閾値と華氏７０度の上限閾値に設定されてもよい。車室温度が事前定義された快適ゾーン設定を下回ったり上回ったりしない場合、フローチャート３００はステップ３０３に戻る。
【００２９】
車室温度が事前定義された快適ゾーン設定を下回るか上回る場合、フローチャート３００はステップ３１０に進む。車室温度が事前定義された快適ゾーン設定より低い場合、システム１００はＨＶＡＣシステム１２１を作動させて車室を暖める。車室温度が事前定義された快適ゾーン設定より高い場合、システム１００はＨＶＡＣシステム１２１を作動させて車室を冷却する。システム１００は、車室温度を監視し続け、車室温度が事前定義された快適ゾーン設定内にあると判定されると、ＨＶＡＣシステム１２１の動作を自動的に停止する。
【００３０】
ＨＶＡＣシステム１２１が起動されると、フローチャート３００はステップ３０８に進み、車室温度が事前定義された快適ゾーン設定を外れていたことをユーザに通知する。通知に基づき、ユーザはＨＶＡＣ１２１の変更に加えて、さらなるアクションを実行することができる。例えば、車室温度が事前定義された快適ゾーン設定を上回っている場合、ユーザは携帯電話を使用してウィンドウ制御システム１２５を起動し、ウィンドウの色合いを変更したり、ウィンドウシェードを下げたりすることができる。このようなアクションは、車室への日光を遮断して、温度をさらに低下させることができる。
【００３１】
ステップ３１１を参照すると、コントローラ１０１は、感知されたデータを使用して、乳幼児が眠そうである、または眠ったようであるかを判定することができる。例えば、システム１００は、カメラ１０３を使用して、乳幼児の目が閉じているか、乳幼児があくびしているかを監視することができる。システム１００はまた、心拍数センサ１１１および呼吸センサ１０７を使用して、乳幼児の心拍数および呼吸パターンが遅くなっているかどうかも検出することができる。システム１００は、感知された心拍数および呼吸数を使用して、乳幼児が眠そうであるか、または眠ったようであるかをさらに判定することができる。乳幼児は眠そうでも、眠ったようでもないとコントローラ１０１が判定した場合、フローチャート３００はステップ３０３に戻る。
【００３２】
乳幼児が眠そうである、または眠ったようであるとコントローラ１０１が判定した場合、フローチャートはステップ３１２に進み、コントローラ１０１は、事前定義された昼寝または睡眠スケジュールが存在するかどうかを判定する。重ねて、システム１００は、ＨＭＩ１１５またはモバイルデバイスを使用して、乳幼児の昼寝または睡眠スケジュールを事前定義できるように設計されてもよい。ステップ３１３で、システム１００は、現在の時間が乳幼児の事前定義された昼寝／睡眠スケジュール内であるかどうかを判定する。現在の時間が乳幼児の事前定義された昼寝スケジュール内である場合、フローチャート３００はステップ３１４に進み、システム１００は、乳幼児が眠りに落ちるのを支援するために車両環境を自動的に調整する。例えば、システム１００は、ウィンドウ制御システム１２５を調整して、車両のウィンドウの色合いを変更したり、ウィンドウシェードを下げたりして車室を暗くし、乳幼児が眠りに落ちるのを支援してもよい。システム１００はまた、乳幼児が眠りに落ちるのを支援するために、心休まる音楽や両親の声など普段聞きなれた音を再生するように、オーディオシステム１２３を起動してもよい。システム１００はまた、ＨＶＡＣシステム１２１を作動させて、気流を増加／減少させ、または車室温度を調整することで、乳幼児が眠りに落ちるのを支援してもよい。次いで、フローチャート３００は、ステップ３０８に進み、乳幼児が眠くなり、眠りそうであることをユーザに通知する。通知に基づいて、ユーザは、乳幼児が眠りにつくのをさらに支援するために、システム１００によって既に行われた行動を調整し、または車両の運転パターンを調整するなど、さらなる調整を行うことができる。
【００３３】
現在の時間が乳幼児の事前定義された昼寝スケジュール内ではない場合、フローチャート３００はステップ３１５に進み、システム１００は、乳幼児を楽しませたり、または乳幼児が眠りにつくのを思いとどまらせたりするように、車両環境を調整する。例えば、システム１００は、ウィンドウ制御システム１２５を作動させて、車室を明るくするために、ウィンドウの色合いを薄くしたり、ウィンドウシェードを上げたりすることができる。システム１００はまた、オーディオシステム１２３を作動させて、より活発な、または魅力的な音楽を再生して、乳幼児が眠りにつくのを妨げてもよい。システム１００はまた、ＨＶＡＣシステム１２１を作動させて、気流を増加／減少させ、または室内温度を調整して、乳幼児が眠りにつくのを妨げてもよい。システム１００はまた、ＨＭＩ１１５を作動させて映画またはビデオを再生して、乳幼児を楽しませ、又は乳幼児が眠りにつくのを妨げてもよい。もしくは、システム１００は、ＨＭＩ１１５を作動させるか、トランシーバ１１３を使用してモバイルデバイスに接続して、乳幼児と関わり合うことができ、話をすることができるユーザを表示して、乳幼児が眠りにつくのを妨げてもよい。その後、フローチャート３００はステップ３０８に進み、乳幼児が眠りにつくのをさらに妨げるために、さらなる調整を行うことができる、またはシステム１００によって既に行われた調整を変更することができるユーザに通知する。
【００３４】
例示的な実施形態が上記で説明されているが、これらの実施形態は、特許請求の範囲に含まれるすべての可能な形態を説明することを意図するものではない。本明細書で使用される言葉は、限定ではなく説明の言葉であり、本開示の主旨および範囲から逸脱することなく様々な変更を加えることができることが理解される。前述のように、さまざまな実施形態の特徴が組み合わされて、明示的に説明または図示されていない本発明のさらなる実施形態を形成することができる。様々な実施形態は、利点を提供するか、または1つ以上の所望の特性に関して他の実施形態または先行技術の実施よりも好ましいものとして説明されているが、当業者は、1つ以上の特徴または特性が妥協されて、所望のシステム全体の属性を達成することができ、それは特定の用途や実行に依存することを認識する。これらの属性には、コスト、強度、耐久性、ライフサイクルコスト、市場性、外観、包装、サイズ、保守性、重量、製造性、組み立ての容易さなどが含まれるが、これらに限定されない。したがって、いずれかの実施形態が、1つまたは複数の特性に関して他の実施形態または先行技術の実施よりも望ましくないと記載されていても、これらの実施形態は本開示の範囲外ではなく、特定の用途に望ましい場合がある。
【符号の説明】
【００３５】
１００：乳幼児快適性監視システム、１０１：コントローラ、１０３：カメラ、１０５：赤外線センサ、１０７：呼吸センサ、１０９：動き検出センサ、１１１：心拍数センサ、１１３：トランシーバ、１１７：音識別デバイス、１１９：ＧＰＳシステム、１２１：ＨＶＡＣシステム、１２３：オーディオシステム、１２５：ウィンドウ制御システム、２００：ヘッドレストアセンブリ
【図１】
2020142080.tif 000003
【図２】
2020142080.tif 000004
【図３】
2020142080.tif 000005
【図４】
2020142080.tif 000006